(57)【要約】【課題】  上部または中部パネル部に設けた透明ケース内に水煙を発生させる共に水煙を複数の色で照らすことで所定の役の告知や演出を行うスロットマシンを提供することを目的とする。【解決手段】  超音波振動子１６ａ，１６ｂを駆動させることで気化槽１７ａ，１７ｂ内で霧化した水煙が透明ケース１８ａ，１８ｂに充満する。透明ケース１８ａ，１８ｂに水煙が充満した際に、サブ制御基板３００は、照明装置３０ａ〜３０ｄを駆動させる。照明装置３０ａ〜３０ｄは、透明ケース１８ａ，１８ｂ内を照明で照らすことで、透明ケース１８ａ，１８ｂ内に充満している水煙を色のついた煙に見たてることができる。【選択図】  図３
2007050023.tif 000002
【特許請求の範囲】
【請求項１】
スロットマシンのフロントパネルに取り付けられた透明ケースと、
前記透明ケース内に水煙を発生させる水煙発生機構と、
前記水煙を複数色の照明で照らす照明手段とを備えることを特徴とするスロットマシン。
【請求項２】
演出画像を表示する演出画像表示装置の前面に設けた透明ケースと、
前記透明ケース内に水煙を発生させる水煙発生機構と、
前記水煙を複数色の照明で照らす照明手段とを備えることを特徴とするスロットマシン。
【請求項３】
役を抽選する抽選手段と、該抽選手段による抽選結果に応じた図柄を表示する回転リールを備えたスロットマシンにおいて、
複数の回転リールの前面に設けた透明ケースと、
前記透明ケース内に水煙を発生させる水煙発生機構と、
前記水煙を複数色の照明で照らす照明手段とを備えることを特徴とするスロットマシン。
【請求項４】
前記水煙発生機構は、超音波振動子を底部に設けた水槽と、前記水槽へ給水管を通じて必要量を給水する貯水槽とを備え、
前記水槽の超音波振動子により発生した水煙が、前記水槽の上部に設けられた前記透明ケース内へ連通されている空気流路を通って前記透明ケース内へ充満することを特徴とするスロットマシン。
【請求項５】
前記水煙発生機構は、前記超音波振動子を制御する制御手段を有し、
該制御手段が、前記超音波振動子の振動振幅を制御することで、前記水煙の発生量を調節することが可能であることを特徴とする請求項４記載のスロットマシン。
【請求項６】
前記制御手段は、前記抽選手段の抽選結果に応じて、前記水煙の発生量を調節することを特徴とする請求項５記載のスロットマシン。
【請求項７】
前記透明ケースの上部には、該透明ケース内の水煙をスロットマシンの外部へ排出するための排気管が設けられ、前記透明ケースと前記排気管が連結している排気口には、水煙を強制的に排気するファンが配設されており、
前記透明ケース内に充満した水煙を前記ファンによって前記排気管を通し、前記スロットマシン外へ排気することを特徴とする請求項１から５のいずれか１項に記載のスロットマシン。
【請求項８】
前記照明手段は、
前記抽選手段による抽選結果に応じて、役に対応する色の照明を水煙に照らすことを特徴とする請求項１から３のいずれか１項に記載のスロットマシン。
【発明の詳細な説明】
【技術分野】
【０００１】
本発明は、スロットマシンに関し、特に、密閉空間に水煙を発生させることで役の告知や演出を行うスロットマシンに関する。
【背景技術】
【０００２】
近年、遊技機においては、液晶表示装置等の演出手段により何らかの役に当選したことやその役の種類を間接的に遊技者に報知するものがある。例えば、ボーナスフラグが成立してボーナス図柄が出現する状況にあるとき、その状況を遊技者に報知するために表示ランプを点灯させたり、スピーカを鳴らしたりまたは液晶表示装置等によってキャラクターを表示させたりすることで遊技者に報知するものがある。
【０００３】
また、特許文献１に記載のスロットマシンでは、大型の液晶表示ユニットを搭載し、多彩な演出画像を遊技者に提供するものがある。
【特許文献１】特開２００４−２２９７３８号公報
【発明の開示】
【発明が解決しようとする課題】
【０００４】
しかしながら、従来のスロットマシンや特許文献１に記載のスロットマシンの演出手段による役の当選を報知する方法は、ゲーム性を高めるために演出が複雑化してきているために、遊技者は液晶表示による演出にあきたり、意外性を感じなくなってきたりしている。
【０００５】
本発明は係る問題に鑑みてなされたものであり、上部または中部パネル部に設けた透明ケース内に水煙を発生させる共に水煙を複数の色で照らすことで所定の役の告知や演出を行うスロットマシンを提供することを目的とする。
【課題を解決するための手段】
【０００６】
上記目的を達成するために、請求項１記載のスロットマシンは、スロットマシンのフロントパネルに取り付けられた透明ケースと、透明ケース内に水煙を発生させる水煙発生機構と、水煙を複数色の照明で照らす照明手段とを備えることを特徴とする。
【０００７】
請求項２記載のスリットマシンは、演出画像を表示する演出画像表示装置の前面に設けた透明ケースと、透明ケース内に水煙を発生させる水煙発生機構と、水煙を複数色の照明で照らす照明手段とを備えることを特徴とする。
【０００８】
請求項３記載のスロットマシンは、役を抽選する抽選手段と、該抽選手段による抽選結果に応じた図柄を表示する回転リールを備えたスロットマシンにおいて、複数の回転リールの前面に設けた透明ケースと、透明ケース内に水煙を発生させる水煙発生機構と、水煙を複数色の照明で照らす照明手段とを備えることを特徴とする。
【０００９】
請求項４記載の発明は、請求項１記載のスロットマシンであって、水煙発生機構は、超音波振動子を底部に設けた水槽と、水槽へ給水管を通じて必要量を給水する貯水槽とを備え、水槽の超音波振動子により発生した水煙が、水槽の上部に設けられた透明ケース内へ連通されている空気流路を通って透明ケース内へ充満することを特徴とする。
【００１０】
請求項５記載の発明は、請求項４記載のスロットマシンであって、水煙発生機構は、超音波振動子を制御する制御手段を有し、該制御手段が、超音波振動子の振動振幅を制御することで、水煙の発生量を調節することが可能であることを特徴とする。
【００１１】
請求項６記載の発明は、請求項５記載のスロットマシンであって、制御手段は、抽選手段の抽選結果に応じて、水煙の発生量を調節することを特徴とする。
【００１２】
請求項７記載の発明は、請求項１から５のいずれか１項に記載のスロットマシン透明ケースの上部には、該透明ケース内の水煙をスロットマシンの外部へ排出するための排気管が設けられ、透明ケースと排気管が連結している排気口には、水煙を強制的に排気するファンが配設されており、透明ケース内に充満した水煙をファンによって排気管を通し、スロットマシン外へ排気することを特徴とする。
【００１３】
請求項８記載の発明は、請求項１から３のいずれか１項に記載のスロットマシンであって、照明手段は、抽選手段による抽選結果に応じて、役に対応する色の照明を水煙に照らすことを特徴とする。
【発明の効果】
【００１４】
本発明によれば、透明ケース内に水煙を発生させ、水煙を所定の役に対応した色の照明で照らすことで遊技者に所定の役の当選告知を行うことができ、新たな演出を提供することができる。
【発明を実施するための最良の形態】
【００１５】
次に、図面を参照して、本実施形態について説明する。
まず、図１を参照して本実施形態における水煙発生機構１０の構成について説明する。図１は、水煙発生機構１０の構成を示した図である。
水煙発生機構１０は、突起１４、給水路１５を備えたケース１１と開閉弁１３を備えた給水タンク１２、超音波振動子１６を備えた気化槽１７、透明ケース１８、ファン２０、排気路２１、照明装置３０ａ，３０ｂから構成されている。
【００１６】
水を入れた給水タンク１２をケースに設置すると給水タンク１２が有する開閉弁１３が突起１４によって持ち上げられ、給水タンク１２内の水が給水路１５へ流れ込む。水は給水路１５を経て気化槽１７に給水される。気化槽１７では、超音波振動子１６が振動することにより、気化槽１７内の水が霧化して、気化槽１７で霧化した水煙１９が透明ケース１８内に充満する。
【００１７】
透明ケース１８内に水煙１９が充満し、一定時間の経過後に透明ケース１８の上部に設けられている排気路２１の排気口に配設されているファン２０が駆動する。ファン２０の駆動により、透明ケース１８内の水煙１９は強制的に吸引され、排気路２１を通り、外部へ排気される。
【００１８】
また、透明ケース１８内を複数の色で照らすことができる照明装置３０ａ，３０ｂを気化槽１７の上部に設けている。照明装置３０は、色ごとに複数個設けても良いし、複数の色フィルタを切り換えることで、透明ケース１８内を照らすことができる。
【００１９】
［第１の実施形態］
次に、図２〜４を参照して、水煙発生機構を搭載したスロットマシンについて説明する。
第１の実施形態では、図２に示すように、水煙発生機構を中部パネル部に備えている。まず、図２を参照して、本スロットマシン１００の外部構造について説明する。
本スロットマシン１００は、遊技者に面するフロントドア１０１と、フロントドア１０１が開閉可能に取り付けられた後述の筐体１０２とを備えて構成されている。
【００２０】
フロントドア１０１は、機械的に強固な硬質プラスチックで成形された上部パネル部１０３と中部パネル部１０４及び下部パネル部１０５とを備えて構成されている。
【００２１】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００２２】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００２３】
また、中部パネル部１０４には、透過窓ＷＤの両側に水煙発生機構１０の透明ケース１８ａ，１８ｂが配設されている。
【００２４】
さらに、中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３が設けられている。
【００２５】
さらにメダル投入部ＭＤの近傍に、フロントドア１０１を開錠するための鍵穴ＫＹが設けられている。そして、遊技場側の事業者や管理者が、鍵穴ＫＹに正規の鍵を挿入して開錠すると施錠機構（図示略）を解除し、フロントドア１０１を筐体１０２から開くことが可能となっている。
【００２６】
下部パネル部１０５には、本スロットマシン１００のゲーム内容を紹介等するための画像（図示略）が描かれており、更に遊技者の獲得した枚数の遊技メダルを払い出すための排出口１０５ａ及び受け皿１０５ｂと、スピーカが取り付けられた放音部１０５ｃが設けられている。
【００２７】
次に、図３を参照して、フロントドア１０１の裏面構造と、筐体１０２の内部構造を説明する。なお、図３は、フロントドア１０１を開錠して筐体１０２から開いた状態を表している。
【００２８】
同図において、フロントドア１０１の裏面上部に、上述の放音部１０３ｂ，１０３ｃを構成するスピーカＳＬ，ＳＲが設けられ、スピーカＳＬ，ＳＲの間に演出表示装置１０３ｄが設けられている。
【００２９】
更に演出表示装置１０３ｄの裏面側には、電気回路基板で形成されたサブ制御基板３００が取り付けられている。
【００３０】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００３１】
演出表示装置１０３ｄとサブ制御基板３００の下方には、上述の透過窓ＷＤと中部パネル部１０４のパネル面とで形成された略長方形の枠体１０４ｄが取り付けられている。
【００３２】
さらに、枠体１０４ｄに重なるようにして、透過窓ＷＤの両端に透明ケース１８ａ，１８ｂが設けられている。透明ケース１８ａ，１８ｂ内に水煙を供給する気化槽１７ａ，１７ｂと給水タンク１２ａ，１２ｂ、ケース１１ａ，１１ｂ、照明装置３０ａ〜３０ｄは、後述する中央表示基板４００に重なるようにして設けられている。また、透明ケース１８ａ，１８ｂ内の水煙を排気するための排気路２１ａ，２１ｂは、上述のサブ制御基板３００に重なるようにして設けられ、本スロットマシン１００の外部に水煙を排気できる構成となっている。
【００３３】
枠体１０４ｄの下方には、メダル投入部ＭＤより投入される投入物を正規の遊技メダルか異物か判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用の遊技メダルを排出口１０５ａへ案内するガイド部材Ｇ３が設けられ、さらに排出口１０５ａの近傍に、放音部１０５ｃを構成するスピーカＳＷが取り付けられている。
【００３４】
上述の枠体１０４ｄとセレクト機構Ｇ０との間には、長尺状の電気回路基板で形成された中央表示基板４００が取り付けられており、当該中央表示基板４００の一端に、発光ダイオードで形成されセグメント表示を行う設定表示素子ＣＴと、設定ボタンＣＳとが設けられている（図９を参照）。
【００３５】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載された配線接続されたいわゆる電気回路基板として形成され、さらに設定表示素子ＣＴと設定ボタンＣＳとが搭載されて配線接続されている。
【００３６】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。
【００３７】
さらに、主電源装置ＰＷＵの側面には電源装置基板（図示せず）、回胴リール装置２００の上端には回胴装置基板５００、回胴リール装置２００の上方には主制御基板６００が取り付けられている。
【００３８】
すなわち、電源装置基板と、回胴装置基板５００、主制御基板６００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載された配線接続されたいわゆる電気回路基板として形成されている。
【００３９】
ただし、サブ制御基板３００と主制御基板６００は、それぞれ硬質プラスチックの収納ケース内に個別に収納されたユニット構造となっている。
【００４０】
次に、図４のブロック図を参照して制御システムの構成を説明する。
上述の主制御基板６００は、本スロットマシン１００の動作を統括管理するために設けられ、主制御基板６００を中心としてサブ制御基板３００、中央表示基板４００、回胴装置基板５００がそれぞれ所定の配線ケーブル（図示略）を介して配線接続されている。
【００４１】
ここで、主制御基板６００には、半導体メモリＲＯＭと、マイクロプロセッサＭＰＵが搭載されており、当該マイクロプロセッサＭＰＵが、半導体メモリＲＯＭに予め記憶されているシステムプログラムとスロットマシンゲーム用のプログラムを実行し、各基板３００，４００，５００，６００を制御することによって、本スロットマシン１００の動作状況とゲームの進行を統括管理している。
【００４２】
すなわち、遊技者がスタートレバーＳＴとストップボタンＳＰ１，ＳＰ２，ＳＰ３等を操作してゲームを行い、スロットマシンゲーム用のプログラムで予め決められている複数種類の役の何れかを取得すると、マイクロプロセッサＭＰＵは、その遊技者の取得した役に対応した制御モードでゲームの進行を制御する。別言すれば、マイクロプロセッサＭＰＵは、遊技者のゲーム操作に応じてスロットマシンゲーム用のプログラムを実行することによって、遊技の種類を設定し且つ進行すべき遊技の状態を制御する。
【００４３】
さらに、サブ制御基板３００には、演出用スピーカＳＬ，ＳＲ，ＳＷと演出用ランプ１０３ａ，１０４ａ，１０４ｂと演出表示装置１０３ｄがそれぞれ所定の配線ケーブル（図示略）を介して配線接続されており、サブ制御基板３００に設けられている電気回路が主制御基板６００からの指示に従ってこれら演出用スピーカＳＬ，ＳＲ，ＳＷと演出用ランプ１０３ａ，１０４ａ，１０４ｂと演出表示装置１０３ｄを駆動させることにより、遊技者の視覚や聴覚に訴える演出を行うようになっている。
【００４４】
さらに、サブ制御基板３００には、超音波振動子１６ａ，１６ｂとファン２０ａ，２０ｂ、照明装置３０ａ〜３０ｄがそれぞれ所定の配線ケーブル（図示略）を介して配線接続されており、サブ制御基板３００に設けられている電気回路が主制御基板６００からの指示に従って超音波振動子１６ａ，１６ｂとファン２０ａ，２０ｂ、照明装置３０ａ〜３０ｄを駆動させることで、水煙発生機構１０を動作させることができる。
【００４５】
回胴装置基板５００は、回胴リール装置２００が接続されており、主制御基板６００からの指令に従って電動モータの駆動電力と駆動タイミングを制御することにより、回胴リールＲ１，Ｒ２，Ｒ３の回転と制動及び停止の制御を行う。
【００４６】
中央表示基板４００には、上述の設定表示素子ＣＴと設定ボタンＣＳが接続され、さらにセレクト機構Ｇ０と、ベットボタンＢ１，Ｂ２，Ｂ３、スタートレバーＳＴ、ストップボタンＳＰ１，ＳＰ２，ＳＰ３が所定の配線ケーブル（図示略）を介して配線接続されている。
【００４７】
そして、中央表示基板４００は、ベットボタンＢ１，Ｂ２，Ｂ３とスタートレバーＳＴとストップボタンンＳＰ１，ＳＰ２，ＳＰ３がそれぞれオン又はオフ操作されたことを示す操作信号（符号略）を主制御基板６００中のマイクロプロセッサＭＰＵに転送し、ゲームの進行を制御させる。
【００４８】
また、セレクト機構Ｇ０には、メダル投入部ＭＤから投入された投入物を遊技メダルか異物か検知する光学センサ又は機械センサ若しくは磁気センサが設けられており、これらのセンサから出力される投入物検出信号（符号略）を中央表示基板４００が主制御基板６００中のマイクロプロセッサＭＰＵへ転送する。
【００４９】
そして、マイクロプロセッサＭＰＵが遊技メダルの投入されたことを示す投入物検出信号を入力すると、メダルの投入枚数を集計する。一方、異物の投入されたことを示す投入物検出信号を入力すると異常が発生したと判断し、上述のサブ制御基板３００に指令して、演出用スピーカＳＬ，ＳＲ，ＳＷに警報音を発生させたり、演出用ランプ１０３ａ，１０４ａ，１０４ｂにて警報表示させたりする。
【００５０】
また、設定ボタンンＣＳは、事業者や管理者が出玉率を設定変更するために設けられており、設定表示素子ＣＴは、１から６までの何れかの数字をセグメント表示することにより、設定ボタンンＣＳによって設定変更された出玉率を段階表示する。
【００５１】
すなわち、設定ボタンンＣＳがオン操作されると、中央表示基板４００は、そのオン操作される度に設定信号（符号略）を主制御基板６００中のマイクロプロセッサＭＰＵへ転送し、マイクロプロセッサＭＰＵは設定信号を入力する毎に、予め６段階に決められている出玉率を順繰りに変化させ、さらに変化させた出玉率に相当する数字を示す設定表示信号（符号略）を中央表示基板４００へ返送する。そして、中央表示基板４００が設定表示信号に基づいて設定表示素子ＣＴに数字をセグメント表示させることにより、事業者や管理者に設定変更された出玉率の情報を知らせる。
【００５２】
次に、第１の実施形態における水煙発生機構の動作について説明する。
第１の実施形態において、主制御基板６００内のＭＰＵによる役抽選の結果からサブ制御基板３００が水煙発生機構１０への駆動信号を送信する。サブ制御基板３００は、超音波振動子１６ａ，１６ｂを駆動させる駆動信号を送信し、超音波振動子１６ａ，１６ｂによって気化槽１７ａ，１７ｂ内で霧化した水煙１９が透明ケース１８ａ，１８ｂに充満する。透明ケース１８ａ，１８ｂに水煙１９が充満した際に、サブ制御基板３００は、照明装置３０ａ〜３０ｄを駆動させる。照明装置３０ａ〜３０ｄは、透明ケース１８ａ，１８ｂ内を照明で照らすことで、透明ケース１８ａ，１８ｂ内に充満している水煙１９を色のついた煙に見たてることができる。
【００５３】
照明装置３０ａ〜３０ｄは、所定の役に対応した色の照明を備えている。例えば、青色は「リプレイ」、黄色は「ベル」といったように色ごとの照明を有する。照明装置３０ａ〜３０ｄは、発光素子である複数の色のＬＥＤによって構成されている。
【００５４】
また、サブ制御基板３００は、超音波振動子１６ａ，１６ｂへの電圧を制御することで、気化槽１７で発生する水煙１９の量を変化させることができる。これにより、透明ケース１８ａ，１８ｂ内に充満する水煙１９の量が変化することから、例えば、水煙１９の量が多い時には、遊技者に有利な遊技状態へ移行することを示すことができる。
【００５５】
［第２の実施形態］
次に、図５〜７を参照して、第２の実施形態について説明する。
第２の実施形態において、図５に示すように水煙発生装置１０が有する透明ケース１８は、上部パネル部１０３に設けられている演出表示装置１０３ｄの前面に重なるようにして設けられている。なお、他のスロットマシン１００の構成は、上述した構成と同様であるため、説明は省略する。
【００５６】
図６に透明ケース１８を演出表示装置１０３ｄの前面に設けた水煙発生装置の断面を示す。図のように、透明ケース１８は、演出表示装置１０３ｄの前面に重なるようにして設けられ、さらに、演出表示装置１０３ｄよりも大きく構成されている。
【００５７】
水煙発生装置１０は、演出表示装置１０３ｄで表示される演出画像を透明ケース１８内に充満させた水煙によって遊技者に対して隠すことができる。演出画像を透明ケース１８内に充満した水煙によって隠されることで、遊技者は、現在進行しているゲームへの期待度を高めることができる。また、第１の実施形態と同様に照明装置３０によって透明ケース１８内を複数の色の照明で水煙を照らすことも可能である。
【００５８】
例えば、図７（ａ）のように透明ケース１８内に水煙１９を充満させることで演出表示装置１０３ｄの演出画像を隠す。一定時間の経過後にサブ制御基板３００がファン２０を駆動させ、透明ケース１８内の水煙１９を排出すると、演出画像を見ることができる。遊技者は、水煙１９によって隠された演出画像に期待することができる。図７（ｂ）のように、水煙１９が排気された後に現れた演出画像に「ボーナス確定」という特別役に当選したこと告知する画像や、図示しないが「ハズレ」を告知するような画像が現れることで、遊技者へ水煙１９が排気されるまで演出画像に期待を膨らませるといった演出をすることができる。
【００５９】
［第３の実施形態］
次に、図８〜１１を参照して、第３の実施形態について説明する。
第３の実施形態では、図８に示すように、水煙発生機構１０が備える透明ケース１８を回胴装置２００の前面に設けている。なお、他のスロットマシン１００の構成は、上述した構成と同様であるため、説明は省略する。
【００６０】
水煙発生機構１０が備える透明ケース１８は、透過窓ＷＤよりも大きく形成され、回胴装置２００の前面に重なるようにして設けられている。また、図９に示すように、水煙発生機構１０は、フロントドア１０１側に設けられ、透明ケース１８が透過窓ＷＤに重なるようにして配設されている。また、ケース１１、給水タンク１２、気化槽１７は、中央表示基板４００に重なるようにして配設され、排気路２１は、サブ制御基板３００に重なるようにして配設されている。
【００６１】
図１０（ｂ）を参照すると、回胴装置２００の前面に設けられた透明ケース１８内に水煙１９が充満し、回転リールＲ１〜Ｒ３を隠すことができる。一定時間の経過後にサブ制御基板３００がファン２０を駆動させ、透明ケース１８内に充満した水煙１９を排気させる。
【００６２】
透明ケース１８に水煙１９を充満させることで回転リールＲ１〜Ｒ３を遊技者に対して隠すことができる。透明ケース１８内に水煙１９を発生させるタイミングは、回転リールＲ１〜Ｒ３が回転し始めた時、回転中、停止後のいずれでもよい。例えば、回転リールＲ１〜Ｒ３が回転中に透明ケース１８内に水煙１９が充満する。遊技者は、回転リールＲ１〜Ｒ３が隠れた状態でストップボタンＳＰ１〜ＳＰ３を押下した時に、透明ケース１８内の水煙１９が排気され、回転リールＲ１〜Ｒ３が可視状態となった時に、遊技者に利益のある図柄の配列になっているというようなゲームを提供することができる。また、透明ケース１８内に充満している水煙１９に照明装置３０で複数の色の照明を照らすことで役の告知を行うことができる。
【００６３】
また、図１１（ａ）に示すように、透明ケース１８ａ〜１８ｃを各回転リールＲ１〜Ｒ３の前面に設けても良い。この場合、各回転リールＲ１〜Ｒ３の前面に設けられている透明ケース１８ａ〜１８ｃごとで水煙１９を発生させることができる。図１１（ｂ）に示すように、回転リールＲ１が停止した直後に水煙１９が透明ケース１８ａ内に充満し、回転リールＲ１を隠すことができる。後に、遊技者がストップボタンンＳＰ２，ＳＰ３を押下し、回転リールＲ２，Ｒ３がそれぞれ順に停止するごとに透明ケース１８ｂ，１８ｃ内に水煙１９を充満させ、回転リールＲ２，Ｒ３を隠す。
【００６４】
図１１に示すような各回転リールＲ１〜Ｒ３の前面に透明ケース１８ａ〜１８ｃが設けられている場合、遊技者に水煙１９は充満している透明ケース（背面の回転リール）に対応するストップボタンを押下させることを報知することができる。
【００６５】
以上の説明から、スロットマシン１００に搭載した水煙発生機構１０は、超音波振動子１６で発生させた水煙１９と照明装置の照明の色とで役の告知をしたり、新たな演出を提供したりすることができる。
【００６６】
なお本実施例は、スロットマシンを用いて説明したが、例えば、スロットマシン以外の箱型形状の遊技機、或いは弾球遊技機に用いてもよい。
【図面の簡単な説明】
【００６７】
【図１】本実施形態における水煙発生機構の構成を示した図である。
【図２】第１の実施形態におけるスロットマシンの外観構造を概略的に表した平面図である。
【図３】図２に示したスロットマシンの内部構造を概略的に表した平面図である。
【図４】図２及び図３に示したスロットマシンに設けられている制御システムの構成を表したブロック図である。
【図５】第２の実施形態におけるスロットマシンの上部パネル部を概略的に平面図である。
【図６】図５に示した水煙発生機構と演出表示装置との断面を示した図である。
【図７】図７（ａ）は、水煙で演出画像を隠した状態を示した図であり、図７（ｂ）は、水煙が排気された状態を示した図である。
【図８】第３の実施形態におけるスロットマシンの外観構造を概略的に表した平面図である。
【図９】図８に示したスロットマシンの内部構造を概略的に表した平面図である。
【図１０】図１０（ａ）は、回転リールＲ１〜Ｒ３の前面に透明ケースを設けた図であり、図１０（ｂ）は、水煙で回転リールＲ１〜Ｒ３を隠した様子を示した図である。
【図１１】図１１（ａ）は、各回転リールＲ１〜Ｒ３の前面に透明ケースを配置した図である。図１１（ｂ）は、各回転リールＲ１〜Ｒ３を水煙で隠す様子を示した図である。
【符号の説明】
【００６８】
１０    水煙発生機構
１１    ケース
１２    給水タンク
１３    開閉弁
１４    突起
１５    給水路
１６    超音波振動子
１７    気化槽
１８    透明ケース
１９    水煙
２０    ファン
２１    排気路
３０    照明装置
【図１】
2007050023.tif 000003
【図２】
2007050023.tif 000004
【図３】
2007050023.tif 000005
【図４】
2007050023.tif 000006
【図５】
2007050023.tif 000007
【図６】
2007050023.tif 000008
【図７】
2007050023.tif 000009
【図８】
2007050023.tif 000010
【図９】
2007050023.tif 000011
【図１０】
2007050023.tif 000012
【図１１】
2007050023.tif 000013